(57)【要約】【課題】両側縁のほつれ防止の処理が不要で、１枚でも衣類の縁部を形成する使用が可能な経編レース地を用いた、着用感がよく外観的な体裁も良好な衣類を提供する。【解決手段】少なくとも一部に経編レース地１を用いた衣類、特には少なくとも前身頃部１１に一枚の経編レース地１を使用したボトム衣類Ａ１で、この経編レース地１を、柄糸が所定のパターンで編み込まれるとともに、編方向において幅が変化し、かつ側方生地と切り離された両側縁１ａ，１ａを処理不要に形成したものとする。【選択図】図１
0003125958.tif 000002
【実用新案登録請求の範囲】
【請求項１】
少なくとも一部に経編レース地を用いて構成された衣類であって、前記経編レース地は、柄糸が所定のパターンで編み込まれるとともに、編方向において幅が変化し、かつ側方生地と切り離された両側縁が処理不要に形成されてなることを特徴とする経編レース地を用いた衣類。
【請求項２】
前記衣類が、股部と、前身頃部と、後身頃部とを有するボトム衣類であり、前記前身頃部及び後身頃部の少なくとも一方が一枚の前記経編レース地よりなる請求項１に記載の経編レース地を用いた衣類。
【請求項３】
前記前身頃部と後身頃部と股部とが、一体に編成された一枚の前記経編レース地よりなる請求項２に記載の経編レース地を用いた衣類。
【請求項４】
前記経編レース地の編方向が衣類の縦方向をなしていることを特徴とする請求項２または３に記載の経編レース地を用いた衣類。
【請求項５】
前記衣類が乳房カップ部を有する衣類であり、前記経編レース地が乳房カップ部及びこれに連続するストラップ部にわたって一体に編成されている請求項１に記載の経編レース地を用いた衣類。
【請求項６】
前記ストラップ部の先端に、背部生地につながる肩紐が装着されてなる請求項５に記載の経編レース地を用いた衣類。
【請求項７】
前記乳房カップ部が所定の膨出状をなすように型成形されてなる請求項５又は６に記載の経編レース地を用いた衣類。
【請求項８】
前記経編レース地は、裏面側にウエール両側部に沿って規則的又は不規則的に交互に遊離部分を形成する浮かし糸が挿入されてなる請求項１〜７のいずれか１項に記載の経編レース地を用いた衣類。
【請求項９】
前記経編レース地が、伸縮性糸が配されて編成された伸縮性のレース地である請求項１〜８のいずれか１項に記載の経編レース地を用いた衣類。
【請求項１０】
前記経編レース地が、伸縮性糸による特性を変化させることにより、部分的に伸縮性が変化せしめられてなる請求項９に記載の経編レース地を用いた衣類。
【請求項１１】
前記経編レース地が、両側縁の部分に、縁構成糸の一つとしてほつれ防止糸が編み込まれてなる請求項１〜１０のいずれか１項に記載の経編レース地を用いた衣類。
【考案の詳細な説明】
【技術分野】
【０００１】
本考案は、経編レース地を用いた衣類、すなわち経編レース地を少なくとも一部に用いて構成した衣類に関するものである。
【背景技術】
【０００２】
従来より、婦人用のブラジャーやショーツやガードル等のファンデーション、あるいはスリップやキャミソール等のランジェリーその他の女性用下着、またはスポーツウエアやアウター等の衣類において、その少なくとも一部に経編レース地を使用して構成した衣類が知られている。
【０００３】
例えば、ショーツ等のボトム衣類において、前身頃部や後身頃部の一方又は双方に経編レース地を用いて構成したものがある。また、ブラジャーにおいては、乳房カップ部の一部もしくは全部、あるいはバック布の縁飾り等に経編レース地を用いて構成したものがある。
【０００４】
ところで、衣類に使用される経編レース地は、その製造上、少なくとも一方の側縁が側方生地と裁断されて切り離されるため、該側縁のほつれ防止等のための縫製等の処理が必要なものであり、このレース地１枚では両側縁が衣類の縁部を形成する使用は難しいものである。
【０００５】
例えば、ショーツ等のボトム衣類において、前身頃部に前記経編レース地を用いる場合は、三角状に裁断された左右半部分の２枚のレース地を用いて、裁断された側縁を前身頃部の中央で縫合して構成するのが一般的であり、着用感が悪くなる上、レース柄が中央で途切れたりして外観的にも不体裁なものになる。
【０００６】
さらに、例えば、ブラジャー等の乳房カップ部を有する衣類においては、乳房カップ部に用いる経編レース地とストラップ部に用いる経編レース地を縫合して構成しており、乳房カップ部からストラップ部にかけてのレース柄の連続性が損なわれ、外観的に不体裁なものである。
【考案の開示】
【考案が解決しようとする課題】
【０００７】
本考案は、上記に鑑みてなしたものであり、経編レース地を用いた衣類として、両側縁のほつれ防止の処理が不要な１枚の経編レース地を、前記側縁をそのまま衣類の縁部を形成するように使用した衣類、特には着用感がよく外観的な体裁も良好な衣類を提供するものである。
【課題を解決するための手段】
【０００８】
本考案は、少なくとも一部に経編レース地を用いて構成された衣類であって、前記経編レース地は、柄糸が所定のパターンで編み込まれるとともに、編方向において幅が変化し、かつ側方生地と切り離された両側縁が処理不要に形成されてなることを特徴とする。
【０００９】
前記の経編レース地を用いた衣類としては、股部と、前身頃部と、後身頃部とを有するボトム衣類であり、前記前身頃部及び後身頃部の少なくとも一方が一枚の前記経編レース地よりなるものとすることができる。また、前記前身頃部と後身頃部と股部とが、一体に編成された一枚の前記経編レース地よりなるものとすることができる。前記いずれの場合も、前記経編レース地の編方向が衣類の縦方向をなしているものが好ましい。
【００１０】
また、前記経編レース地を用いた衣類としては、乳房カップ部を有する衣類であり、前記経編レース地が乳房カップ部及びこれに連続するストラップ部にわたって一体に編成されているものとすることもできる。この場合において、前記ストラップ部の先端に、背部生地につながる肩紐が装着されてなるものとすることができ、また、前記乳房カップ部が所定の膨出状をなすように型成形されてなるものとすることができる。
【００１１】
前記いずれの場合も、前記経編レース地としては、裏面側にウエール両側部に沿って規則的又は不規則的に交互に遊離部分を形成する浮かし糸が挿入されてなるものとすることができる。さらに、前記経編レース地が、伸縮性糸が配されて編成された伸縮性のレース地であるものとすることができ、さらには、伸縮性糸による特性を変化させることにより、部分的に伸縮性が変化せしめられてなるものとすることができる。また、前記経編レース地が、両側縁の部分に、縁構成糸の一つとしてほつれ防止糸が編み込まれてなるものとすることもできる。
【考案の効果】
【００１２】
本考案の経編レース地を用いた衣類によれば、経編レース地の両側縁のほつれ防止の処理を不要にして、該レース地を用いて構成した衣類として、１枚の経編レース地で該レース地の側縁がそのまま衣類の縁部を形成するように使用した衣類を構成でき、着用感及び外観的な体裁の良好な衣類を提供できる。
【考案を実施するための最良の形態】
【００１３】
次に、本考案の実施の形態を図面に示す実施例に基づいて説明する。
【００１４】
図１は、経編レース地を用いた本考案の衣類として、ボトム衣類に適用した実施例を示す略示斜視図であり、図２は同ボトム衣類に使用する経編レース地の概略を示す平面図である。
【００１５】
この実施例の衣類は、股部１２から腹部にかけての前身頃部１１と、股部１２から腰部にかけての後身頃部１３とを有するショーツ等のボトム衣類Ａ１であり、該ボトム衣類Ａ１の前身頃部１１に一枚の経編レース地１を用い、該経編レース地１を、両脇部１４，１４から後身頃部１３に連続する他の生地部１５とを縫製して構成している。
【００１６】
前記経編レース地１は、基本的に、基布となる地編の組織を編成するいわゆる地筬とは別に、柄を編成するための複数枚（通常、数十枚にもなる）の柄筬を備える経編機、あるいは、前記柄筬と共に、ジャカード装置でガイドニードルの運動を制御することにより穴地、薄地、厚地等の組合せによるレース柄を形成する少なくとも１枚のジャカードガイド筬を備える経編機により図２のように編成される。
【００１７】
図２の経編レース地１は、柄糸（図示せず）が所定のパターンで編目形成しながら編成されるか、あるいは挿入編成されることにより、該経編レース地１の中にレース柄と共に該柄糸による比較的大きな柄部２が形成され、また両側縁１ａ，１ａには湾曲形状や波状のスカラップ３が形成されている。前記両側縁１ａ，１ａについては、必ずしも前記のスカラップ３を側縁全長に渡って連続して形成しておく必要はなく、直線状の部分とともに部分的にスカラップを形成したり、あるいはスカラップを有さない側縁形状、例えば直線や大きなカーブの曲線形状とする場合もある。また、前記経編レース地１は、前記両側縁１ａ，１ａにおける少なくとも一方、例えば図のように双方において、前記の縁構成糸が、縁部形状に沿うように、例えば前記のスカラップ３を形成する場合は該スカラップ３の形状に沿うように、１ウエールもしくは複数ウエールに渡り移行しながら編み込まれることにより、該レース地の編幅が編方向で変化せしめられている。この編幅の変化、すなわち平面形状については、使用する衣類の種類や使用態様に応じて任意に設定できる。
【００１８】
そして、前記経編レース地１における両側縁１ａ，１ａは、該経編レース地１と繋ぎ糸（図示せず）により繋がれて編成される側方生地、例えば耳部あるいは該経編レース地１と並列して同様に編成される他の経編レース地と切り離した状態において、縁処理をすることなく使用に供することができるように形成されている。
【００１９】
その手段として、例えば、前記両側縁１ａ，１ａにおいて、縁用柄糸等よりなる縁構成糸４が、１ウエールもしくは複数ウエールの幅に渡って地組織に対し挿入編成されるか、あるいは編目形成しながら編成されて編み込まれることにより縁取り形成されている。さらに好ましくは、前記縁構成糸４の一つとして、縁用柄糸等とは別に、ほつれ防止糸４ａが側縁１ａ，１ａに沿って編目形成しながら編み込まれるか、あるいは挿入編成されて、前記のように側方生地と切り離した状態においても、ほつれが生じないように形成される。
【００２０】
従って、図１のように、前記両側縁１ａ，１ａのほつれ防止の処理を施さないで、前記経編レース地１を、両側縁１ａ，１ａが前身頃部１１の両側縁部を形成するように用いること、すなわち編方向を衣類の縦方向にして用いることが問題なく可能になる。前記の縁構成糸としては、前記の糸に加えて、伸縮性糸（図示省略）が編成される場合もある。
【００２１】
なお、前記両側縁１ａ，１ａを構成する縁構成糸４については、側縁の全長に渡って、同じ糸を筬の切り替えなしで連続して編目形成しながら編成あるいは挿入編成することも、前記側縁の傾斜形状に対応する移行の途中で別の筬の同種の糸に切り替えて編成することも可能である。
【００２２】
さらに、前記経編レース地１は、非伸縮性糸のみを使用して編成する場合のほか、必要に応じて、地編の基本組織に対し、ポリウレタン繊維糸等の伸縮性糸（図示省略）が、レース地全体に配されて、編目形成しないで地編組織に挿入されて編成されるか、あるいは編目形成しながら編成されることにより、編地全体として少なくとも経方向（編方向）に伸縮性が付与されたものとすることができる。
【００２３】
この場合において、地編の基本組織に配される伸縮性糸について、本数や太さあるいは種類等による特性の変化により、部分的に伸縮性が変化せしめられてなるものとすることができる。例えば、前記両側縁１ａ，１ａから内方側に所要幅の部分（図２の一点鎖線までの部分）において、前記伸縮性糸の特性の変化により、内方部よりも伸縮性を大きく設定することができる。図中の５，５は、前記側縁１ａ，１ａから一点鎖線までの間の伸縮性の変化部分を示している。この変化部分５，５の内側の縁（一点鎖線）をスカラップ３に対応した形状とする場合もある。なお、前記伸縮性を大きく変化させる部分については、前記のように両側縁１ａ，１ａに沿って設けるほか、前記両側縁１ａ，１ａの一方側のみに設けることも、また内方部に設けることもでき、その幅は任意に設定できる。
【００２４】
前記の伸縮性を変化させる手段としては、前記伸縮性糸自体の太さや本数や種類を部分的に変化させることも、また地編全体に配される前記伸縮性糸とは別の筬により配する伸縮性糸を部分的に追加して編成することもできる。
【００２５】
このような経編レース地１を前身頃部１１に用いて構成した図１のボトム衣類Ａ１においては、該前身頃部１１が一枚の経編レース地１よりなり、その編方向が衣類の縦方向をなし、ほつれ防止の処理が不要な両側縁１ａ，１ａが前身頃部１１の両側縁部を形成しているため、着用感がよく、かつ前身頃部１１のレース柄の連続性、一体性がよく、外観的な体裁も良好なものになる。
【００２６】
図３は経編レース地を用いた衣類として、他の実施例のボトム衣類Ａ２を示す略示斜視図、図４は同ボトム衣類Ａ２に使用する経編レース地１の概略を示す平面図である。
【００２７】
この実施例のボトム衣類Ａ２においては、股部１２を介して連続する前身頃部１１と後身頃部１３に、股部を介して連続して一体に編成された一枚の経編レース地１を、その編方向が衣類の縦方向をなすように用いてＴバック状に構成している。１６は前記経編レース地１と組み合わされる腰紐部である。
【００２８】
この実施例において使用する前記経編レース地１は、前記前身頃部１１に相当する部分２１と、後身頃部１３に相当する部分２３とが、股部１２に相当する細幅部分２２を介して連続して一体に編成されている以外は、基本的に上記した実施例と同様に編成されるものである。
【００２９】
すなわち、同構成部分には同符号を付して詳しい説明を省略するが、図４のように、柄糸による比較的大きな柄部２が形成され、また両側縁１ａ，１ａには波状のスカラップ３が形成されるとともに、使用上の必要形態に応じて、編方向において編幅が適宜変化せしめられて編成されている。そして、前記両側縁１ａ，１ａは、上記した実施例と同様の手段により、耳部あるいは該経編レース地１と並列して同様に編成される他の経編レース地等の側方生地と切り離した状態において、ほつれ防止の処理不要に、つまりは縁処理をすることなく使用に供することができるように形成されている。このため、図３のように、前記両側縁１ａ，１ａのほつれ防止の処理を施さずとも、前記経編レース地１を、両側縁１ａ，１ａが前身頃部１１及び後身頃部１３等の両側縁部を形成するように用いること、すなわち編方向を衣類の縦方向にして用いることが問題なく可能になる。
【００３０】
なお、この実施例で使用する経編レース地１においても、必要に応じて、地編の基本組織に対し、ポリウレタン繊維糸等の伸縮性糸をレース地全体に配して、編目形成しないで地編組織に挿入して編成するか、あるいは編目形成しながら編成することにより、編地全体として少なくとも経方向（編方向）に伸縮性を付与したものとすることができる。さらに、地編の基本組織に配される伸縮性糸について、本数や太さあるいは種類等による特性の変化により、部分的に伸縮性を変化させることもできる。
【００３１】
この実施例のボトム衣類Ａ２は、前身頃部１１と後身頃部１３が股部１２を介して連続した一枚の経編レース地１よりなり、その編方向が衣類の縦方向をなし、ほつれ防止の処理が不要な両側縁１ａ，１ａが前身頃部１１の両側縁部を形成しているため、着用感がよく、かつ前身頃部１１と後身頃部１３それぞれの左右部のレース柄の連続性、一体性がよく、外観的な体裁も良好なものになる。
【００３２】
図５は経編レース地を用いた衣類として、さらに他の実施例のボトム衣類Ａ３を示す略示斜視図、図６は同衣類に使用する経編レース地の概略を示す平面図である。
【００３３】
この実施例のボトム衣類Ａ３においては、前身頃部１１の左右部１１ａ，１１ｂと後身頃部１３とが両脇部１４，１４を介して連続して一体に編成された経編レース地１を、その編方向が衣類の横方向をなすように用いて構成しており、編方向の両端部が前身頃部１１の中央部で接合するように縫製され、さらに前記前身頃部１１の左右部１１ａ，１１ｂと後身頃部１３とが股部１２で連接されている。１７は前身頃部中央の接合部を示す。
【００３４】
この実施例において使用する前記経編レース地１は、図６のように、前記前身頃部１１の左右部１１ａ，１１ｂに相当する部分２１ａ、２１ｂと、後身頃部１３に相当する部分２３とが、脇部１４，１４に相当する部分２４，２４を介して連続して一体に編成されており、衣類の横方向を編方向にして編幅を適宜変化させながら編成されている。さらに、前記後身頃１３に相当する部分２３の一側縁には股部１２に相当する部分２２も一体に編成されている。また、前記ボトム衣類Ａ３の上縁部と股ぐり用開口の縁を形成する両側縁１ａ，１ａは、スカラップが形成されずに比較的大きいカーブをなしている。
【００３５】
この経編レース地１は、前記の構成以外は、基本的に上記した実施例と同様に編成されるものであり、同構成部分には同符号を付して詳しい説明を省略するが、この実施例においても、前記両側縁１ａ，１ａは、上記した実施例と同様の手段により、耳部あるいは該経編レース地１と並列して同様に編成される他の経編レース地等の側方生地と切り離した状態において、ほつれ防止の処理不要に、つまりは縁処理をすることなく使用に供することができるように形成されている。このため、前記両側縁１ａ，１ａにほつれ防止の処理を施さずとも、前記経編レース地１を、前記両側縁１ａ，１ａがボトム衣類Ａ３の上縁部と股ぐり用開口の縁を形成するように、編方向を衣類の横方向にして用いて、図５のボトム衣類Ａを構成することができる。
【００３６】
なお、この実施例で使用する経編レース地１においても、必要に応じて、地編の基本組織に対し、ポリウレタン繊維糸等の伸縮性糸をレース地全体に配して、編目形成しないで地編組織に挿入して編成するか、あるいは編目形成しながら編成することにより、編地全体として少なくとも経方向（編方向）に伸縮性を付与したものとすることができる。さらに、地編の基本組織に配される伸縮性糸について、本数や太さあるいは種類等による特性の変化により、部分的に伸縮性を変化させることもできる。
【００３７】
この実施例のボトム衣類Ａ３は、前身頃部１１と後身頃部１３が脇部１４，１４を介して連続した一枚の経編レース地１よりなり、着用感がよく、かつレース柄の連続性、一体性がよく、外観的な体裁も良好なものになる。
【００３８】
図７は経編レース地を用いた本考案の衣類が乳房カップ部３１を有するブラジャーＢの場合の略示斜視図、図８はブラジャーＢに使用する経編レース地１の概略を示す平面図である。
【００３９】
この実施例においては、乳房カップ部３１を有するブラジャーＢにおいて、乳房カップ部３１及びこれに連続するストラップ部３２にわたって一体に編成されている図８の一枚の経編レース地１を用いて、他の生地よりなるバック布３３及び肩紐３４とにより構成している。
【００４０】
この実施例において使用する前記経編レース地１は、基本的に上記した実施例と同様に編成されるものであり、同構成部分には同符号を付して詳しい説明を省略するが、この実施例においては、図８のように、衣類の縦方向を編方向にして編幅を適宜変化させながら、前記乳房カップ部３１に相当する部分と、ストラップ部３２に相当する部分とが連続して一体に編成されており、比較的大きな柄部２が側縁近傍部分等の任意の個所に形成され、また両側縁１ａ，１ａに波状のスカラップ３が形成されている。
【００４１】
そして、前記両側縁１ａ，１ａは、上記した実施例と同様の手段により、耳部あるいは該経編レース地１と並列して同様に編成される他の経編レース地等の側方生地と切り離した状態において、ほつれ防止の処理不要に、つまりは縁処理をすることなく使用に供することができるように形成されている。このため、図７のように、前記両側縁１ａ，１ａのほつれ防止の処理を施さずとも、前記経編レース地１を、両側縁１ａ，１ａがそのまま乳房カップ部３１の縁部、あるいはストラップ部３２の縁を形成するように用いること、すなわち編方向を衣類の縦方向にして用いることが問題なく可能になる。
【００４２】
通常、前記乳房カップ部３１の側縁にバック布３３が連接され、また前記ストラップ部３２には背部生地につながる肩紐３４が縫合手段等により連接される。また、前記一枚の経編レース地１よりなる乳房カップ部３１は、従来と同じように、必要な膨出形状に対応した型を用いる公知の型成形手段により、所定の膨出状をなすように熱セットされ成形される。
【００４３】
なお、この実施例で使用する経編レース地１においても、必要に応じて、地編の基本組織に対し、ポリウレタン繊維糸等の伸縮性糸をレース地全体に配して、編目形成しないで地編組織に挿入して編成するか、あるいは編目形成しながら編成することにより、編地全体として少なくとも経方向（編方向）に伸縮性を付与したものとすることができる。さらに、地編の基本組織に配される伸縮性糸について、本数や太さあるいは種類等による特性の変化により、部分的に伸縮性を変化させることもできる。
【００４４】
この実施例の衣類であるブラジャーＢは、乳房カップ部３１とストラップ部３２が一体の経編レース地１よりなり、乳房カップ部３１等の上縁等の縁を形成する側縁に縫製などによるほつれ防止の処理が施されないため、着用感がよくて、かつレース柄の連続性、一体性がよく、外観的な体裁も良好なものになる。
【００４５】
上記したいずれの実施例の場合においても、使用する経編レース地１については、裏面側にウエール両側部に沿って規則的又は不規則的に交互に遊離部分、すなわち地編を編成する編目ウエールに編み込まれないで、レース地の裏面に遊離した状態で表れる部分を形成する浮かし糸を挿入して編成しておくことができる。
【００４６】
図９は、遊離部分を形成する浮かし糸の挿入組織の１例を、地組織を編成する他の編糸の編組織（ラッピング状態）については図示を省略して示している。同図において、各編ウエールｗ毎に配された浮かし糸８は、通常、最も後の筬で導糸されて、まず、所定のコースで編ウエールに編み込まれた後、各編ウエールｗの左側に沿って地組織に編み込まれずに浮かされ、次に、各編ウエールｗの右側に沿って地組織に編み込まれずに浮かされ、次に、隣接する編ウエールに移行して、各編ウエールｗの右側に沿って地組織に編み込まれずに浮かされ、次に、各編ウエールｗの左側に沿って地組織に編み込まれずに浮かされ、次に、隣接する元の編ウエールに移行する編成を繰り返している。同図中の浮かし糸８が浮かされて編成された部分が遊離部分９となる。
【００４７】
なお、上記した実施例においては、経編レース地を用いた衣類が、胸元部や裾部に前記経編レース地を用いたショーツ、ガードル、ブラジャー等の各種のファンデーション、スリップやキャミソール等のランジェリーその他の各種インナー類、あるいは一部に前記経編レース地を使用した各種のアウターにも適用できる。
【産業上の利用可能性】
【００４８】
本考案は、経編レース地を用いた各種衣類は、婦人用のブラジャーやショーツやガードル等のファンデーション、あるいはスリップやキャミソール等のランジェリーその他の女性用下着、またはスポーツウエアやアウター等の各種衣類に利用できる。
【図面の簡単な説明】
【００４９】
【図１】経編レース地を用いた本考案の衣類の１実施例を示す略示斜視図である。
【図２】同衣類に使用する経編レース地の概略を示す平面図である。
【図３】経編レース地を用いた本考案の衣類の他の実施例を示す略示斜視図である。
【図４】同衣類に使用する経編レース地の概略を示す平面図である。
【図５】経編レース地を用いた本考案の衣類の更に他の実施例を示す略示斜視図である。
【図６】同衣類に使用する経編レース地の概略を示す平面図である。
【図７】経編レース地を用いた本考案の衣類がブラジャーの場合の略示斜視図である。
【図８】同ブラジャーに使用する経編レース地の概略を示す平面図である。
【図９】遊離部分を形成する浮かし糸の挿入組織を例示する組織図である。
【符号の説明】
【００５０】
Ａ１，Ａ２，Ａ３…ボトム衣類、Ｂ…ブラジャー、１…経編レース地、１ａ…側縁、２…柄部、３…スカラップ、４…縁構成糸、４ａ…ほつれ防止糸、５…変化部分、８…浮かし糸、９…遊離部分、１１…前身頃部、１２…股部、１３…後身頃部、１４…脇部、１６…腰紐部、１７…接合部、３１…乳房カップ部、３２…ストラップ部、３３…バック布、３４…肩紐。
【図１】
0003125958.tif 000003
【図２】
0003125958.tif 000004
【図３】
0003125958.tif 000005
【図４】
0003125958.tif 000006
【図５】
0003125958.tif 000007
【図６】
0003125958.tif 000008
【図７】
0003125958.tif 000009
【図８】
0003125958.tif 000010
【図９】
0003125958.tif 000011